(57)【要約】【課題】光信号変調帯域内においても平坦な通過特性を保つことができる光伝送方式を提供する。【解決手段】分岐した光信号の各チャネル毎の変調帯域内のスペクトルをモニターし、このスペクトルから伝送路の通過特性の非平坦性を検出することで該光信号に対する該非平坦性を補償する。【選択図】      図１
2004221968.tif 000002
【特許請求の範囲】
【請求項１】
光信号を分岐する分岐部と、
該分岐した光信号の各チャネル毎の変調帯域内のスペクトルをモニターするモニター部と、
該スペクトルから伝送路の通過特性の非平坦性を検出する制御部と、
該光信号に対して該非平坦性を補償する補償部と、
を備えたことを特徴とする光伝送方式。
【請求項２】
請求項１において、
該補償部を、該光信号の受信側又は送信側に設けたことを特徴とする光伝送方式。
【請求項３】
請求項１において、
該モニター部が、光スペクトルアナライザであり、該制御部が、該光スペクトルアナライザをスイープして得られるピーク波長を中心にスペクトルの一次傾斜を求めることにより該非平坦性を検出することを特徴とする光伝送方式。
【請求項４】
請求項１において、
該モニター部が、該分岐部からの光信号をさらに分岐させるカプラと、該カプラプからの光信号をスイープしてピーク波長を中心に一定波長幅だけ離れた光信号成分をそれぞれが抽出する二つの波長可変フィルタと、各波長可変フィルタの出力光信号のパワーを検出して該制御部に与える二つのフォトダイオードとで構成されていることを特徴とした光伝送方式。
【請求項５】
請求項４において、
該光信号に対してモニター用に所定周波数の強度変調を加える変調部を送信側に設け、各フィルタが該所定周波数に対応した該一定波長幅だけ該ピーク波長から離れた光信号成分を抽出するように設定されていることを特徴とする光伝送方式。
【発明の詳細な説明】
【０００１】
【発明の属する技術分野】
本発明は光伝送方式に関し、特に波長多重（ＷＤＭ）光伝送方式に関するものである。
波長多重光伝送方式では、送信端と受信端の間で光伝送を行うだけでなく、途中のノードにおいても、一部の信号を光のまま挿入（ＡＤＤ）／分岐（ＤＲＯＰ）を行うＯＡＤＭ  （Ｏｐｔｉｃａｌ  Ａｄｄ  ／  Ｄｒｏｐ  Ｍｕｌｔｉｐｌｅｘｅｒ）  機能を有することが、低コストでフレキシブルな光ネットワークを構築するために必要とされている。
【０００２】
【従来の技術】
このような光ネットワークの従来例が図１２（１）に示されている。すなわち、送信機Ｔｘと受信機Ｒｘとの間には、中継ノード（挿入／分岐機能を有するＢａｃｋ  ｔｏ  Ｂａｃｋ  ｔｅｒｍｉｎａｌ）Ｎ＃１及びＮ＃２が接続されており、送信機Ｔｘと中継ノードＮ＃１との間、中継ノードＮ＃１とＮ＃２との間、さらに中継ノードＮ＃２と受信機Ｒｘとの間は、図示のようにブースタ増幅器ＢＡ＃１〜ＢＡ＃３、線形光増幅中継器ＩＬＡ（ＩｎＬｉｎｅ  Ａｍｐ）  ＃１〜＃１４、及び受信増幅器ＲＡ＃１〜ＲＡ＃３を経由することによって伝送路における光信号の中継増幅を行っている。
【０００３】
そして、送信端では、合波器（合分波器）ＣＷ１が、送信機Ｔｘからの波長の異なるチャネル信号を合波して波長多重を行い、受信端では、分波器（合分波器）ＣＷ２が、波長多重された光信号から各チャネル信号を分離して受信器Ｒｘに与えている。
【０００４】
また、これらの送信機Ｔｘと受信機Ｒｘとの間では、中継ノードＮ＃１及びＮ＃２において一部のチャネルの光信号をそのまま分岐／挿入したり、そのまま通過（スルー）させたりしている。
【０００５】
【発明が解決しようとする課題】
このように、波長多重光伝送方式においては、送信機Ｔｘから受信機Ｒｘの間に、合分波器や、光増幅器などの光部品が接続されており、チャネル信号間のレベル差（チルト）が伝送品質に影響を与えるため、特開平１０−２７６１７３号公報においては、合波後の光信号をモニターし、波長可変フィルタでレベルを測定した結果から、合波前に配置したチャネル毎の可変光減衰器の減衰量を調整し、チャネル信号のレベル間偏差を調整するものが既に提案されている。
【０００６】
【特許文献１】
特開平１０−２７６１７３号公報（要約書、図１）
一方、図１２（１）に示した光ネットワークにおいて、送信機Ｔｘが配置されている送信端から、受信機Ｒｘが配置されている受信端までの通過特性を測定すると、同図（２）に示すように、波長多重された光信号の内の或る波長λｎに着目すると、その光信号波長の変調帯域内においては、伝送路通過損失が波長λｎの例えば右側にずれた所で最小となるため、中心波長λｎでは伝送路通過特性（接線）Ｆが傾いており、平坦でないことから伝送品質を劣化させることになる。
【０００７】
これを、さらに図１３を参照して説明すると、上記のような送信端から受信端までの通過特性が平坦な場合には、同図（１）に示すように中心波長λｎに対して左右対称な変調スペクトルを示すが、図１２（２）及び図１３（２）に示すような一定の傾斜角度を持った非平坦な通過特性が生ずる場合には、同図（３）に示すように、変調スペクトルは左右対称でなくなり歪んでしまう。
【０００８】
この結果、同図（１）に示すように変調スペクトルが正常である場合には、同図（４）に示すように、広い歪みの無いアイパターンが得られるが、同図（３）に示すように変調スペクトルが歪んだ場合には、アイパターンも同図（５）に示すような歪んだ形となってしまい信号エラーを発生させることになる。
【０００９】
このような変調帯域内における伝送路通過特性の非平坦性については、特に、合分波器において信号波長帯域の通過特性は平坦で、他の波長のチャネル信号に対しては十分に抑圧して、図１２（２）に示すアイソレーションを確保する必要があるが、上述したように伝送容量を拡大するためには、波長間隔を狭め高密度にした波長多重光伝送方式が採用されるので、波長間隔が狭まることに伴って両者は両立しにくくなる。また、分岐／挿入ノードの介在により、光信号が通過する光部品点数が増加し、変調帯域内の非平坦通過特性が加重されて深刻になってしまうことになる。
【００１０】
このような通過特性の非平坦性は、部品の個別特性や光信号の波長と部品の通過特性の相対関係に依存するため、一定の特長があるというものではなく、従来はこのような課題に対して部品スペックを厳しくしたり、部品通過数を制限したり、或いは伝送品質劣化（ペナルティ）の許容などで対応するのが通常であった。
【００１１】
したがって本発明は、上記の課題に鑑み、光信号変調帯域内においても平坦な伝送路通過特性を保つことができる光伝送方式を提供することを目的とする。
【００１２】
【課題を解決するための手段】
上記の目的を達成するため、本発明に係る光伝送方式は、光信号を分岐する分岐部と、該分岐した光信号の各チャネル毎の変調帯域内のスペクトルをモニターするモニター部と、該スペクトルから伝送路の通過特性の非平坦性を検出する制御部と、該光信号に対して該非平坦性を補償する補償部と、を備えたことを特徴としている。
【００１３】
すなわち本発明では、分岐部で分岐した光信号のスペクトルを、各チャネル毎にその変調帯域内でモニター部がモニターする。
そして、制御部は、モニター部でモニターしたスペクトルが、伝送路の通過特性の平坦性を示しているか否かを検出し、非平坦性を示している場合には、補償部が、該光信号に対してその非平坦性を補償する。
【００１４】
このようにして、本発明では各チャネルの信号変調帯域内における伝送路通過特性が平坦なものとなるため、光スペクトルの波形歪に基づく伝送品質の劣化を防ぐことが可能となる。
ここで、上記の補償部は、該光信号の受信側又は送信側に設けることができる。
【００１５】
また上記のモニター部に光スペクトルアナライザを用い、上記の制御部が、該光スペクトルアナライザをスイープして得られるピーク波長を中心にスペクトルの一次傾斜を求めることにより上記の非平坦性を検出することができる。
すなわち、非平坦な場合には、中心波長から一定幅の光パワーは異なっており、一次傾斜を与えるので、この一次傾斜を上記の通過特性の非平坦性として求めればよい。
【００１６】
また上記のモニター部としては、該分岐部からの光信号をさらに分岐させるカプラと、該カプラからの光信号をスイープしてピーク波長を中心に一定波長幅だけ離れた光信号成分をそれぞれが抽出する二つの波長可変フィルタと、各波長可変フィルタの出力光信号のパワーを検出して該制御部に与える二つのフォトダイオードとで構成することができる。
【００１７】
これは、上記の光スペクトルアナライザの代わりに、二つの波長可変フィルタを用いたものである。
上記の構成において、光信号に対してモニター用に所定周波数の強度変調を加える変調部を送信側に設け、上記の波長可変フィルタを、該所定周波数に対応した該一定波長幅だけ該ピーク波長から離れた光信号成分を抽出するように設定してもよい。
【００１８】
すなわち、上記の構成では、受信信号の如何は問わずに光スペクトルを求めているが、送信側でモニター用の信号を送り、これを上記の二つの波長可変フィルタで検出すれば、より精度の高い、ピーク波長から一定波長幅だけ離れた光信号成分を抽出できることになる。
【００１９】
さらには、光信号に対してモニター用に所定周波数の強度変調を加える変調部を送信側に設け、該分岐部にヘテロダイン検波を行うためのレーザダイオードを接続し、該モニター部を、該分岐部からのヘテロダイン検波された波長の光信号を入力するフォトダイオードと、該フォトダイオードから出力された電気信号をスイープして得られるピーク周波数を中心に一定周波数幅だけ離れた少なくとも二つの電気信号のパワーを求めて該制御部に与える電気スペクトルアナライザとで構成してもよい。
【００２０】
この場合には、上記のように光スペクトルアナライザを用いて光スペクトル検出を行う代わりに、光信号を電気信号に変換し、電気スペクトルアナライザにより電気スペクトルを求め、これに基づいて通過特性の非平坦性を求めている。
また、光信号に対してモニター用に所定周波数の強度変調を加える変調部を送信側に設け、該分岐部にヘテロダイン検波を行うためのレーザダイオードを接続し、該モニター部を、該分岐部からのヘテロダイン検波された波長の光信号を入力するフォトダイオードと、該フォトダイオードから出力された電気信号をスイープして得られるピーク周波数を中心に一定周波数幅だけ離れた電気信号成分をそれぞれが抽出する二つの電気フィルタと、各電気フィルタの出力信号のパワーを求めて該制御部に与える二つの電力計とで構成してもよい。
【００２１】
これは、上記の電気スペクトルアナライザの代わりに二つの電気フィルタを用いたものである。
上記のモニター部としては、各フォトダイオードの出力レベル差を検出する比較器を含み、該制御部が、該比較器の出力レベルが零になるように該補償部を制御してもよい。
【００２２】
また上記の受信側は、任意の中間ノードでもよく、受信機が存在する受信端でなくてもよい。
また上記の補償部としては、可変通過特性補償器を用いることができる。
【００２３】
【発明の実施の形態】
図１は、本発明に係る光伝送方式の実施例［１］を示したものである。この実施例［１］においては、図１２（１）に示した従来構成例を用いるとともに、分波器ＣＷ２と受信機Ｒｘとの間に、補償部を構成する可変通過特性補償器１１と分岐部を構成するカプラ１２とを直列接続し、カプラ１２で分岐させた光信号をモニター部１３に与え、このモニター部１３は制御部１４の制御を受けて、そのモニター出力を制御部１４に与えることにより、制御部１４は可変通過特性補償器１１を制御する構成を採っている。
【００２４】
なお、このような可変通過特性補償器１１とカプラ１２とモニター部１３と制御部１４から成る構成は、分波器ＣＷ２によって分波される各チャネル毎の光信号に対して設けられるものであるが、図面を簡略化するため１チャネル分のみ示されている。
【００２５】
より具体的には、この実施例［１］における可変通過特性補償器１１に入力する前、すなわち補償前の光スペクトルは、同図（Ａ）に示すように（図１２（２）にも示したように）右肩上がりの非平坦な伝送路通過特性になっているが、これをモニター部１３でモニターしたとき、このモニター結果に基づいて当該チャネルの光スペクトルから通過特性が非平坦であると制御部１４が判定した場合には、制御部１４が可変通過特性補償器１１を同図（Ｂ）に示すような補償器通過特性に制御することにより、同図（Ａ）の通過特性と同図（Ｂ）の通過特性とが合成された結果、同図（Ｃ）に示すような補償後の平坦な通過特性が得られることになる。
【００２６】
これにより、変調帯域内の光スペクトルは歪を伴わない正常な状態となる。
図２には、図１に示したモニター部１３の実施例（１）が示されている。この実施例では、モニター部１３として光スペクトルアナライザ１３＿１を用いている。このような光スペクトルアナライザを用いて変調帯域内の通過特性の非平坦性を補償する動作を図３を参照して以下に説明する。
【００２７】
まず、光スペクトルアナライザ１３＿１は、カプラ１２によって分岐された光信号を入力するが、制御部１４の制御により、光スペクトルをスイープする。制御部１４はこのスイープ結果により、図３（１）に示すピーク波長λ０を検出する。
このピーク波長λ０を検出した制御部１４は、ピーク波長λ０を中心に一定波長幅Δλだけ離れた波長λ１及びλ２の光スペクトル強度（光パワー）を測定する。この場合の各パワーをＰ１及びＰ２とする。
【００２８】
そして、制御部１４は、このパワーＰ１及びＰ２から、光スペクトルの一次傾斜を下記の式により求める。
ΔＫ  ＝  （Ｐ１−Ｐ２）  ／  ２Δλ（ｄＢ  ／  ｎｍ）              ・・・・・・・式（１）
そして、このようにして求めた一次傾斜ΔＫを、同図（１）に示す許容値Ｋｌｉｍｉｔと比較し、許容値以上（｜ΔＫ｜＞Ｋｌｉｍｉｔ）であれば、次のようにして補償量を求めるが、許容値Ｋｌｉｍｉｔ以下であれば（同図（４）もこれに相当する。）これ以上の制御は行わない。
【００２９】
一次傾斜ΔＫが許容値Ｋｌｉｍｉｔ以上であれば、制御部１４は可変通過特性補償器１１において補償すべき補償量として−ΔＫを求める。このときの補償器１１の通過特性が同図（３）に示されている。
したがって、制御部１４から補償器１１に対し、補償量−ΔＫの一次傾斜を発生させるように制御を行えばよい。
【００３０】
この場合、可変通過特性補償器１１の通過特性は、同図（２）に示すように、初期値ＩＬ１の平坦な特性を有しているので、このような補償器１１に対して制御部１４が同図（３）に示すような通過特性に制御すれば、結果として、補償後の通過特性は平坦となり、同図（４）に示すような歪の無い光スペクトルが得られることになる。
【００３１】
図４には、図１に示したモニター部１３の実施例（２）が示されている。この実施例では、同図（１）に示すように、カプラ１２で分岐された光信号をさらに二分岐するためのカプラ１３＿２を設け、このカプラ１３＿２から出力された二つの光信号をそれぞれ入力して同図（２）に示すような波長λ２及びλ１の光信号成分を抽出する波長可変光フィルタ（ＴＦ）１３＿３及び１３＿５と、これらの光フィルタ１３＿３及び１３＿５の各光出力信号を電気信号に変換するフォトダイオード（ＰＤ）１３＿４及び１３＿６とで構成されている。
【００３２】
なお、点線で図示しているように、これらのフォトダイオード１３＿４及び１３＿６の出力信号は制御部１４に送られるとともに、光フィルタ１３＿３及び１３＿５は制御部１４によって制御を受けるように接続されている。
このようなモニター部の実施例（２）の動作を図５を参照して以下に説明する。
【００３３】
まず、波長可変光フィルタ１３＿３及び１３＿５は、カプラ１３＿２からの光信号を入力し、制御部１４からの制御により、それぞれピーク波長λ０を検出する。
このため、図５（１）に示すように、制御部１４が、光フィルタ１３＿３及び１３＿５のフィルタリング中心波長λｃを短波長側又は長波長側からスイープ制御する。この場合、ＮＲＺ  （ＮｏｎＲｅｔｕｒｎ  ｔｏ  Ｚｅｒｏ）変調であれば、光信号のスペクトルは同図（２）に示すように中心波長λ０で最大パワーを示すので、この最大パワーを各光フィルタ１３＿３及び１３＿５において測定する。
【００３４】
したがって、光フィルタ１３＿３及び１３＿５はいずれも共通にピーク波長λ０を検出するが、いま必要とするのは、中心波長λ０±Δλにおけるパワーであるので、制御部１４は、光フィルタ１３＿３に対しては、図４（２）に示したように中心波長λ０からΔλだけ長波長側に離れた波長λ２における光信号成分を抽出するように制御し、光フィルタ１３＿５に対しては、逆に中心波長λ０からΔλだけ短波長側に離れた光信号成分を抽出するようにスイープ制御を行う。
【００３５】
この結果、フォトダイオード１３＿４及び１３＿６には、それぞれ、光フィルタ１３＿３からの波長λ２における光信号成分と、光フィルタ１３＿５からの波長λ１における光信号成分が入力されることとなる。そして、フォトダイオード１３＿４及び１３＿６は、それぞれの入力レベルに対応した電気信号を制御部１４出力する。
【００３６】
この結果、制御部１４は、図２の実施例（１）と同様に、フォトダイオード１３＿４及び１３＿６の各出力パワーをＰ１及びＰ２としたときに、上記の式（１）と同様に光スペクトルの一次傾斜ΔＫが求められ、この一次傾斜ΔＫを許容値Ｋｌｉｍｉｔと比較し、許容値以上であれば補償器１１に対する補償量を−ΔＫとして求めて制御量として与えればよいことになる。そして、この制御は一次傾斜ΔＫが許容値Ｋｌｉｍｉｔ以下になるまで繰り返されることも同様である。
【００３７】
上記の本発明の実施例［１］においては、送信側から特別な信号を送り込むことを前提にしておらず、このような場合でも、非平坦通過特性の検出及び補償は可能であるが、図６に示す本発明の実施例［２］の場合には、同図（１）に示すように予め送信側に変調部１５を設け、送信信号（波長λ０，周波数ｆ０）に対して周波数ｆｍの変調をかけ、これに基づいて上記と同様の非平坦通過特性の補償を行おうとするものである。
【００３８】
このため、同図（２）に示すように、送信信号に対して周波数ｆｍの変調をかけた場合、送信信号は、同図（２）に示すように、ピーク波長λ０に対して、周波数ｆｍに対応するΔλ（同図（３）参照）だけ離れた波長に変調波の光パワーが発生することになるので、このパワーを上述した各モニター部の実施例により抽出すればよいことになる。
【００３９】
すなわち、図２に示すモニター部の実施例（１）を用いた場合でも、図４に示すモニター部の実施例（２）を用いた場合でも、いずれも、図３（１）に示すようなスペクトルの一次傾斜ΔＫが求められ、このΔＫが許容値Ｋｌｉｍｉｔを越えている限り、補償量−ΔＫを補償器１１に制御部１４が与えることにより、図３（４）に示すような補償後の歪の無い光スペクトルが得られることになる。
【００４０】
図７は、図６（１）に用いられるモニター部１３の実施例（３）を示している。この実施例では、上記のモニター部の実施例（１）及び（２）が光スペクトルアナライザ又は光フィルタを用いているのに対し、この実施例（３）では電気的なスペクトルアナライザを用いたものである。
【００４１】
すなわち、このモニター部１３の実施例（３）の一例としては、図７（１）に示すように、カプラ１２には、局部発振器としてのレーザダイオード１２０が接続されており、このレーザダイオード１２０からの光信号は波長λ１（周波数ｆ１）を有するため、フォトダイオード１３＿７で受けた出力信号は同図（３）に示すように、周波数ｆ０−ｆ１の出力となる。
【００４２】
ただし、この実施例においては、図６（１）に示したように変調部１５により送信信号が周波数ｆｍで強度変調されているので、このカプラ１２から出力されるヘテロダイン検波後の電気スペクトルは、図７（２）に示すように周波数ｆ０−ｆ１を中心として周波数ｆｍ分両側に変調波の光パワーが生ずることとなる。
【００４３】
したがって、このカプラ１２の出力信号をフォトダイオード１３＿７により電気信号に変換した後、電気スペクトルアナライザ１３＿８に送ると、この電気スペクトルアナライザ１３＿８では図２に示した光スペトルアナライザ１３＿１と同様の動作を制御部１４の制御下で行うことにより、制御部１４からは上記と同様に補償量−ΔＫが補償器１１に与えられることとなる。
【００４４】
また、図８に示すモニター部１３の実施例（４）の場合には、図７（１）の電気スペクトルアナライザ１３＿８の代わりに二つの電気フィルタ１３＿９及び１３＿１０を用い、この出力信号を電力計１３＿１１及び１３＿１２を経由して制御部１４に出力するものである。
すなわち、この図８に示すモニター部１３の実施例は、電気フィルタ１３＿９及び１３＿１０がそれぞれ図４（１）に示した光フィルタ１３＿３及び１３＿５に対応し、電力計１３＿１１及び１３＿１２が同じく図４（１）に示したフォトダイオード１３＿４及び１３＿６にそれぞれ対応したものとなっており、それぞれの違いは、図４の場合には光信号で処理を行うが、図８の場合には電気信号で処理している点が異なっているだけである。
【００４５】
図９はモニター部１３の実施例（５）を示したものである。この実施例では特に、図４（１）に示した実施例（２）において、フォトダイオード１３＿４及び１３＿６と制御部１４との間に比較器１３＿１２を設け、フォトダイオード１３＿４及び１３＿６の出力信号を、比較器１３＿１２を経由して制御部１４に送る点が異なっている。
【００４６】
すなわち、このモニター部の実施例（５）の場合にはフォトダイオード１３＿４及び１３＿６の出力レベルの差を比較器１３＿１２で検出し、この出力レベル差を制御部１４に与える。
制御部１４は図９（２）に示すようないろいろな可変通過特性を内蔵しており、この比較器１３＿１２の出力信号をパラメータとして例えばその出力レベルが＋側、すなわちフォトダイオード１３＿４の出力レベルの方がフォトダイオード１３＿６の出力レベルより高い場合には、可変通過特性補償器１１に対して、右肩上がりの補償量（ΔＫ）を与え、逆の場合には右肩下がりの補償量（−ΔＫ）を与えるものである。
【００４７】
上記の本発明の実施例［１］及び［２］の場合には、いずれも受信機Ｒｘが設置されている受信端のみにおいて通過特性の補償を行っているが、図１０に示す本発明の実施例［３］の場合には、可変通過特性補償器１１を送信側、すなわちこの例では送信機Ｔｘと合波器ＣＷ１との間に設けている点が異なっている。
【００４８】
このような実施例［３］の場合も、上記の実施例［１］及び［２］と全く同様に非平坦特性の補償を行うことができる。すなわち、分波器ＣＷ２における補償前の光スペクトル（Ｂ）に基づいてモニター部１３及び制御部１４が補償量を求めることにより、可変通過特性補償器１１を通過特性（Ａ）を有するように制御することで、補償後のスペクトル（Ｃ）が得られることになる。
【００４９】
さらには、図１１に示す実施例［４］に示すように、可変通過特性補償器１１は、受信側又は送信側だけでなく、中間ノードＮ＃１及びＮ＃２においても同様に配置することができる。
すなわち、中間ノードＮ＃１においても受信機Ｒｘａを設け、この受信機Ｒｘａの前にカプラ１２ａを設けるとともに、このカプラ１２ａからモニター部１３ａと制御部１４ａを介してカプラ１２ａと中間ノードＮ＃１との間に設けた可変通過特性補償器１１ａを制御することにより、中間ノードＮ＃１までの非平坦通過特性の補償が可能となる。
これは、中間ノードＮ＃２についても同様であり、この場合には、図示のようにカプラ１２ｂとモニター部１３ｂと制御部１４ｂと可変通過特性補償器１１ｂとを設けることによりスペクトルの補償を実現している。
【００５０】
なお、上記の可変通過特性補償器としては、導波路型、Ｍｅｍｓ型、非相反素子を用いるマイクロオプティクス型など一般に用いられているデバイスを用いることが可能である。
（付記１）
光信号を分岐する分岐部と、
該分岐した光信号の各チャネル毎の変調帯域内のスペクトルをモニターするモニター部と、
該スペクトルから伝送路の通過特性の非平坦性を検出する制御部と、
該光信号に対して該非平坦性を補償する補償部と、
を備えたことを特徴とする光伝送方式。
（付記２）付記１において、
該補償部を、該光信号の受信側又は送信側に設けたことを特徴とする光伝送方式。
（付記３）付記１において、
該モニター部が、光スペクトルアナライザであり、該制御部が、該光スペクトルアナライザをスイープして得られるピーク波長を中心にスペクトルの一次傾斜を求めることにより該非平坦性を検出することを特徴とする光伝送方式。
（付記４）付記１において、
該モニター部が、該分岐部からの光信号をさらに分岐させるカプラと、該カプラからの光信号をスイープしてピーク波長を中心に一定波長幅だけ離れた光信号成分をそれぞれが抽出する二つの波長可変フィルタと、各波長可変フィルタの出力光信号のパワーを検出して該制御部に与える二つのフォトダイオードとで構成されていることを特徴とした光伝送方式。
（付記５）付記４において、
該光信号に対してモニター用に所定周波数の強度変調を加える変調部を送信側に設け、各フィルタが該所定周波数に対応した該一定波長幅だけ該ピーク波長から離れた光信号成分を抽出するように設定されていることを特徴とする光伝送方式。
（付記６）付記１において、
該光信号に対してモニター用に所定周波数の強度変調を加える変調部を送信側に設け、該分岐部にヘテロダイン検波を行うためのレーザダイオードを接続し、該モニター部が、該分岐部からのヘテロダイン検波された波長の光信号を入力するフォトダイオードと、該フォトダイオードから出力された電気信号をスイープして得られるピーク周波数を中心に一定周波数幅だけ離れた少なくとも二つの電気信号のパワーを求めて該制御部に与える電気スペクトルアナライザとで構成されたことを特徴とする光伝送方式。
（付記７）付記６において、
該光信号に対してモニター用に所定周波数の強度変調を加える変調部を送信側に設け、該分岐部にヘテロダイン検波を行うためのレーザダイオードを接続し、該モニター部が、該分岐部からのヘテロダイン検波された波長の光信号を入力するフォトダイオードと、該フォトダイオードから出力された電気信号をスイープして得られるピーク周波数を中心に一定周波数幅だけ離れた電気信号成分をそれぞれが抽出する二つの電気フィルタと、各電気フィルタの出力信号のパワーを求めて該制御部に与える二つの電力計とで構成されたことを特徴とする光伝送方式。
（付記８）付記４において、
該モニター部が、各フォトダイオードの出力レベル差を検出する比較器を含み、該制御部が、該比較器の出力レベルが零になるように該補償部を制御することを特徴とする光伝送方式。
（付記９）付記２において、
該受信側が、任意の中間ノードであることを特徴とする光伝送方式。
（付記１０）付記１から９のいずれか１つにおいて、
該補償部が、可変通過特性補償器であることを特徴とする光伝送方式。
【００５１】
【発明の効果】
以上説明したように本発明に係る光伝送方式によれば、分岐した光信号の各チャネル毎の変調帯域内のスペクトルをモニターし、このスペクトルから伝送路の通過特性の非平坦性を検出することで該光信号に対する該非平坦性を補償するように構成したので、波長多重光伝送システムにおいて、変調帯域内の非平坦通過特性を補償し、そこから発生する光スペクトルの波形歪による伝送特性劣化を防ぐことが可能となる。
【図面の簡単な説明】
【図１】本発明に係る光伝送方式の実施例［１］を示した図である。
【図２】本発明に係る光伝送方式で用いられるモニター部の実施例（１）を示したブロック図である。
【図３】図２に示したモニター部におけるスペクトルの傾斜測定と補償量の算出例を示した図である。
【図４】本発明に係る光伝送方式に用いられるモニター部の実施例（２）を示した図である。
【図５】本発明に係る光伝送方式で用いられるモニター部において中心波長の検出例を説明するための図である。
【図６】本発明に係る光伝送方式の実施例［２］を示した図である。
【図７】本発明に係る光伝送方式に用いられるモニター部の実施例（３）を示した図である。
【図８】本発明に係る光伝送方式に用いられるモニター部の実施例（４）を示した図である。
【図９】本発明に係る光伝送方式に用いられるモニター部の実施例（５）を示した図である。
【図１０】本発明に係る光伝送方式の実施例［３］を示した図である。
【図１１】本発明に係る光伝送方式の実施例［４］を示した図である。
【図１２】従来技術による光伝送方式を説明するための図である。
【図１３】図１２に示した従来技術の問題点を説明するための図である。
【符号の説明】
１１  可変通過特性補償器
１２  カプラ
１３  モニター部
１４  制御部
１３＿１  光スペクトルアナライザ
１３＿３，１３＿５  波長可変光フィルタ
１３＿４，１３＿６，１３＿７  フォトダイオード
１５  変調部
１３＿８  電気スペクトルアナライザ
１３＿９，１３＿１０  電気フィルタ
１３＿１１，１３＿１２  電力計
１２０  レーザダイオード
Ｔｘ  送信機
Ｒｘ  受信機
図中、同一符号は同一又は相当部分を示す。
【図１】
2004221968.tif 000003
【図２】
2004221968.tif 000004
【図３】
2004221968.tif 000005
【図４】
2004221968.tif 000006
【図５】
2004221968.tif 000007
【図６】
2004221968.tif 000008
【図７】
2004221968.tif 000009
【図８】
2004221968.tif 000010
【図９】
2004221968.tif 000011
【図１０】
2004221968.tif 000012
【図１１】
2004221968.tif 000013
【図１２】
2004221968.tif 000014
【図１３】
2004221968.tif 000015